(57)【要約】【課題】  遊技機において不正な設定変更を防止する。【解決手段】  内部動作に関する設定変更を行うための回転式の設定スイッチ２０５４と、前記設定スイッチの回転動作を検出する回転動作検出器２０５８と、予め定められた手順に従い内部動作に関する設定変更処理を行う制御部２００とを備える。前記制御部は、前記設定スイッチから設定変更を要求する信号を受けたとき、前記回転動作検出器から前記設定スイッチの回転動作を示す信号を受けた場合にのみ前記設定変更処理を実行する。回転動作検出器が設定キースイッチの回転を監視するので、正しい設定キースイッチの操作と針金などを使用した設定変更に係る不正行為を区別することが可能である。【選択図】        図４
2005237459.tif 000002
【特許請求の範囲】
【請求項１】
内部動作に関する設定変更を行うための回転式の設定スイッチと、前記設定スイッチの回転動作を検出する回転動作検出器と、予め定められた手順に従い内部動作に関する設定変更処理を行う制御部とを備える遊技機であって、
前記制御部は、前記設定スイッチから設定変更を要求する信号を受けたとき、前記回転動作検出器から前記設定スイッチの回転動作を示す信号を受けた場合にのみ前記設定変更処理を実行することを特徴とする遊技機。
【請求項２】
前記制御部は、前記設定スイッチから設定変更を要求する信号を受けたにもかかわらず、前記回転動作検出器から前記設定スイッチの回転動作を示す信号を受けなかった場合、不正行為と判断し、エラーを報知することを特徴とする請求項１記載の遊技機。
【請求項３】
前記回転動作検出器は、回転軸の回転に応じてパルス信号を出力するロータリーエンコーダであり、前記ロータリーエンコーダの回転軸は、前記設定スイッチの回転軸に連結され、前記制御部は、前記ロータリーエンコーダのパルス信号に基づき前記設定変更処理を実行するかどうか判定することを特徴とする請求項１又は請求項２記載の遊技機。
【請求項４】
前記回転動作検出器は、回転軸の回転に応じて電圧を出力するポテンショメータであり、前記ポテンショメータの回転軸は、前記設定スイッチの回転軸に連結され、前記制御部は、前記ポテンショメータの出力電圧を予め定められた閾値と比較することにより前記設定変更処理を実行するかどうか判定することを特徴とする請求項１又は請求項２記載の遊技機。
【請求項５】
前記回転動作検出器は、回転軸の回転に応じて静電容量を変化させる可変コンデンサ又は回転軸の回転に応じてインダクタンスを変化させる可変インダクタであり、前記可変コンデンサ又は可変インダクタの回転軸は、前記設定スイッチの回転軸に連結され、前記制御部は、前記可変コンデンサ又は可変インダクタにより構成される発振回路の出力周波数に基づき前記設定変更処理を実行するかどうか判定することを特徴とする請求項１又は請求項２記載の遊技機。
【請求項６】
前記回転動作検出器は、回転軸の回転に応じて接断する回転検出スイッチであり、前記回転検出スイッチの接点は前記設定スイッチの回転軸に設けられた作用部により操作され、前記制御部は、前記回転検出スイッチの出力に基づき前記設定変更処理を実行するかどうか判定し、前記設定スイッチの出力論理と前記回転検出スイッチの出力論理を異ならせたことを特徴とする請求項１又は請求項２記載の遊技機。
【請求項７】
内部動作に関する設定変更を行うための回転式の設定スイッチと、前記設定スイッチの回転動作を検出する回転動作検出器とを備える遊技機における不正行為の防止方法であって、
前記設定スイッチから設定変更を要求する信号を受け、かつ、前記回転動作検出器から前記設定スイッチの回転動作を示す信号を受けたとき、内部動作に関する設定変更処理を開始するステップと、
予め定められた手順に従い前記設定値変更処理を実行するステップと、を備えることを特徴とする遊技機における不正行為の防止方法。
【請求項８】
内部動作に関する設定変更を行うための回転式の設定スイッチと、前記設定スイッチの回転動作を検出する回転動作検出器とを備える遊技機の不正行為の防止方法をコンピュータに実行させるためのプログラムであって、
前記設定スイッチから設定変更を要求する信号を受け、かつ、前記回転動作検出器から前記設定スイッチの回転動作を示す信号を受けたとき、内部動作に関する設定変更処理を開始するステップと、
予め定められた手順に従い前記設定値変更処理を実行するステップと、をコンピュータに実行させるためのプログラム。
【発明の詳細な説明】
【技術分野】
【０００１】
この発明は、スロットマシン等の遊技機及び遊技機における不正行為防止方法並びにプログラムに関する。
【背景技術】
【０００２】
スロットマシン等の遊技機は、遊技者が所定の枚数のメダルを遊技機に投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
遊技機は、基本的に絵柄が揃ったときにメダルを払い出すものであるが、絵柄が揃うかどうかは内部のＣＰＵによる抽選の結果に従う。また、ビッグボーナス、レギュラーボーナス、小役などのさまざまな賞も内部のコンピュータによる抽選の結果に従う。抽選の処理の内容は所定の範囲内で設定可能であり、遊技機が設置されるホールなどにおいて店側により設定作業が行われる。設定変更は、遊技機の扉を開け、電源部に設けられた設定キースイッチをオンにし、設定変更スイッチを押す等の所定の操作を行う、などの手順により行われた。
【発明の開示】
【発明が解決しようとする課題】
【０００４】
遊技者のごく一部に不正行為（いわゆるゴト行為）を行う者がいた。例えば、設定操作を不正に行うことにより、遊技機の設定を自己に有利なものに不正に変更する者がいた。遊技機の扉には鍵が設けられて容易に開閉できないようになっているとともに、設定キースイッチの操作のためにも鍵が必要であるが、不正行為を行う者は扉に穴を開け、設定キースイッチの配線に工作を加えることにより不正設定を行っているようである。
【０００５】
この発明は、斯かる不正行為を店側の意思によって未然に防ぐことを可能にする遊技機及び遊技機における不正行為防止方法並びにプログラムを提供することを目的とする。
【課題を解決するための手段】
【０００６】
この発明は、内部動作に関する設定変更を行うための回転式の設定スイッチと、前記設定スイッチの回転動作を検出する回転動作検出器と、予め定められた手順に従い内部動作に関する設定変更処理を行う制御部とを備える遊技機であって、
前記制御部は、前記設定スイッチから設定変更を要求する信号を受けたとき、前記回転動作検出器から前記設定スイッチの回転動作を示す信号を受けた場合にのみ前記設定変更処理を実行することを特徴とするものである。
【０００７】
前記制御部は、前記設定スイッチから設定変更を要求する信号を受けたにもかかわらず、前記回転動作検出器から前記設定スイッチの回転動作を示す信号を受けなかった場合、不正行為と判断し、エラーを報知するようにしてもよい。
【０００８】
前記回転動作検出器は、例えば、回転軸の回転に応じてパルス信号を出力するロータリーエンコーダであり、前記ロータリーエンコーダの回転軸は、前記設定スイッチの回転軸に連結され、前記制御部は、前記ロータリーエンコーダのパルス信号に基づき前記設定変更処理を実行するかどうか判定するものである。
【０００９】
前記回転動作検出器は、例えば、回転軸の回転に応じて電圧を出力するポテンショメータであり、前記ポテンショメータの回転軸は、前記設定スイッチの回転軸に連結され、前記制御部は、前記ポテンショメータの出力電圧を予め定められた閾値と比較することにより前記設定変更処理を実行するかどうか判定するものである。
【００１０】
前記回転動作検出器は、例えば、回転軸の回転に応じて静電容量を変化させる可変コンデンサ又は回転軸の回転に応じてインダクタンスを変化させる可変インダクタであり、前記可変コンデンサ又は可変インダクタの回転軸は、前記設定スイッチの回転軸に連結され、前記制御部は、前記可変コンデンサ又は可変インダクタにより構成される発振回路の出力周波数に基づき前記設定変更処理を実行するかどうか判定するものである。
【００１１】
前記回転動作検出器は、例えば、回転軸の回転に応じて接断する回転検出スイッチであり、前記回転検出スイッチの接点は前記設定スイッチの回転軸に設けられた作用部により操作され、前記制御部は、前記回転検出スイッチの出力に基づき前記設定変更処理を実行するかどうか判定し、前記設定スイッチの出力論理と前記回転検出スイッチの出力論理を異ならせたものである。
【００１２】
この発明は、内部動作に関する設定変更を行うための回転式の設定スイッチと、前記設定スイッチの回転動作を検出する回転動作検出器とを備える遊技機における不正行為の防止方法であって、
前記設定スイッチから設定変更を要求する信号を受け、かつ、前記回転動作検出器から前記設定スイッチの回転動作を示す信号を受けたとき、内部動作に関する設定変更処理を開始するステップと、
予め定められた手順に従い前記設定値変更処理を実行するステップと、を備えるものである。
【００１３】
この発明は、上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１４】
また、電話回線等の有線通信媒体、マイクロ波回線等の無線通信媒体等の通信媒体を含む。インターネットもここでいう通信媒体に含まれる。
【００１５】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１６】
本発明によれば、回転動作検出器が設定キースイッチの回転を監視するので、正しい設定キースイッチの操作と針金などを使用した設定変更に係る不正行為を区別することが可能であり、不正行為を効果的に防止できる。
【発明を実施するための最良の形態】
【００１７】
発明の実施の形態１．
この発明の実施の形態に係るスロットマシン及びその不正行為の防止方法について図面を参照して説明する。
【００１８】
図１は前扉を閉めた状態を示すスロットマシンの正面図、図２は前扉を１８０度開いた状態を示すスロットマシンの正面図を示す。
【００１９】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２０】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００２１】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００２２】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２３】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２４】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２５】
図３は電源部２０５のパネルの詳細を示す。図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。
【００２６】
設定キースイッチ２０５４は設定変更を行うための設定変更モードに移行するためのスイッチであり、リセットスイッチ２０５５は、装置をリセットするためのスイッチである。リセットスイッチ２０５５は設定変更モードにおいて設定値を変更するためのスイッチを兼用している。ＡＣ１００Ｖパイロットランプ２０５６は、筐体の電源であるＡＣ１００Ｖが供給されていることを示すランプであり、ＡＣ電源出力及び電源ケーブル２０５７はＡＣ電源を供給するためのものである。
【００２７】
図４は発明の実施の形態に係るスロットマシンの機能ブロック図を示す。
図４において、２００、２０１はそれぞれＣＰＵを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。前述のように電源部２０５には設定キースイッチ２０５４が設けられている。設定キースイッチ２０５４は鍵を挿入して右に９０度回すとオンになるものであるが、この回転を検出するための回転動作検出器２０５８が設けられている。
【００２８】
この発明の実施の形態１では、回転動作検出器２０５８はロータリーエンコーダである。設定キースイッチ２０５４のシリンダー（設定キースイッチの回転軸のこと。設定キーを回すと回転する軸）とロータリーエンコーダ２０５８の回転軸は直接連結されているか、ギア等を介して連結されている。設定キースイッチ２０５４へのロータリーエンコーダ２０５８の取り付け方の一例を図５に示す。ロータリーエンコーダとは、回転量を電気信号に変換する角度センサであり、回転量をデジタル量で正確に検出するという特徴を備えるものである。ロータリーエンコーダの出力はパルス信号であり、パルスを計数することにより回転量を知ることができる。多くのロータリーエンコーダは、位相が異なる２つのパルス信号を出力するＡ信号端子とＢ信号端子を備える。Ａ信号とＢ信号の関係、すなわちどちらの位相が進んでいるかを調べることによりロータリーエンコーダの軸の回転量ばかりでなく、回転方向についても知ることができる。
【００２９】
図６は発明の実施の形態１に係る遊技機における内部設定処理フローチャートである。以下、この図に基づき当該遊技機の動作について説明する。入賞確率テーブルを選択する内部設定を変更するためには以下の手順が必要である。なお、図６においてＳ１、Ｓ５〜Ｓ８は作業者の操作及び当該操作に伴う制御部（メイン基板２００やサブ基板２０１）の動作を意味する。他のＳ２〜Ｓ４、Ｓ９〜Ｓ１３は制御部による処理を意味する。
【００３０】
Ｓ１：設定キースイッチ２０５４をオンにする。設定キースイッチ２０５４がオンになると、設定変更モードに移行するための処理（Ｓ２〜）が開始される。
【００３１】
Ｓ２：設定キースイッチ２０５４及びロータリーエンコーダ２０５８の出力を監視する。これらの出力を常時ＣＰＵで監視してもよいし、これらの出力をカウンタやラッチなどのＩＣで受け、その計数値やラッチした値をＣＰＵに読み取らせるようにしてもよい。
【００３２】
Ｓ３：設定キースイッチ２０５４のオンにより設定変更モードに移行するようにＣＰＵに対して割り込みがなされるが、この命令が正しいものであり不正行為でないことを確認するための判定を行う。すなわち、設定キースイッチ２０５４がオンになる際に、ロータリーエンコーダ２０５８の回転信号が出力されていたかどうか判定する。回転信号が出力されていれば正しい命令と判定し（Ｓ４）、内部設定の変更を実行する。回転信号が出力されていなければ不正行為と判定し（Ｓ１１）、エラーを報知する（Ｓ１２）とともに、遊技の受け付けを停止し、通常遊技を行えないようにする（Ｓ１３）。
【００３３】
Ｓ３の処理について図７を参照して詳しく説明する。
図７（ａ）は設定キースイッチ２０５４を操作したときの信号のタイミングチャートである。設定キー回転開始（符合Ａの時刻）から符号Ｂの時間経過後にオンになっている（符号Ｃの時刻）。符号Ｂの時間は設定キースイッチ２０５４を鍵で右に９０度回転させるための時間である。設定キースイッチ２０５４のキーシリンダーはロータリーエンコーダ２０５８の回転軸に連結されているから、その回転に伴いロータリーエンコーダ２０５８から回転を示すパルス信号Ａ、Ｂが出力される。これらパルス信号Ａ、Ｂより回転角度とその方向を知ることができる。パルス信号Ａ、Ｂに基づき制御部のＣＰＵで設定キースイッチ２０５４のキーシリンダーの回転角度とその方向を求めることができる。ここで得られた回転角度及び／又はその方向を、予め記憶しておいた回転角度（例えば９０度）及び／又はその方向（例えば右回転）と比較し、一致していたら設定キースイッチ２０５４が正しく操作されたと判定する。
【００３４】
図７（ｂ）は不正行為により設定キースイッチ２０５４の出力が強制的に短絡された場合を示す。符号Ｄの時刻で短絡されている。この場合、設定キースイッチ２０５４のキーシリンダーが回転しないため、ロータリーエンコーダ２０５８の信号Ａ，Ｂはいずれも出力されない。制御部のＣＰＵは、ロータリーエンコーダ２０５８の回転角度及び／又はその方向を予め記憶しておいた回転角度及び／又はその方向と比較するが、両者は一致しないから、不正行為がなされたと判定する。
【００３５】
Ｓ３で、設定キースイッチ２０５４がオンのときロータリーエンコーダ２０５８の回転信号が出力されていたと判定したとき（ＹＥＳ）、正しい設定変更要求と判定し（Ｓ４）、以下の処理を行う。
【００３６】
Ｓ５：内部設定を選択する。内部設定は例えば１〜６段階に設定できる。設定スイッチ／リセットスイッチ２０５５を操作すると、表示される設定値が変化する。
Ｓ６：スタートレバー１３４を操作する。
Ｓ７：これにより設定値が確定し、当該設定値がメイン基板２００内の記憶部に記憶される。
Ｓ８：設定キースイッチ２０５４をオフにする。表示器の設定値表示が消える。
Ｓ９：設定変更処理が終了したと判定し、通常遊技を開始する（Ｓ１０）。
【００３７】
Ｓ３で、設定キースイッチ２０５４がオンのときロータリーエンコーダ２０５８の回転信号が出力されていないと判定したとき（ＮＯ）、不正行為と判定し（Ｓ１１）、以下の処理を行う。
【００３８】
Ｓ１２：エラー報知を行う。エラーの報知は、サブ基板２０１で制御可能なランプやＬＥＤ，図示しない液晶表示装置の全部又は一部を発光あるいは点滅させたり、特定のパターンを点灯表示又は画像表示させたり、図示しないスピーカを吹鳴させる。あるいは、前記報知態様を任意に組み合わせてもよい。これに代えてあるいはこれとともに外部へエラー信号を出力するようにしてもよい。このエラー信号は例えばホールのコンピュータで受信され、ホールの監視装置上にエラーを表示させる。
【００３９】
Ｓ１３：エラー報知とともに遊技の受付を停止し、通常遊技をできなくする。例えばリセット信号を受けるまでＣＰＵが停止したり、リセット以外のスイッチの信号を読み取らないようにする。
【００４０】
発明の実施の形態１によれば、設定キースイッチの回転軸にロータリーエンコーダを設け、設定キースイッチが回転するとロータリーエンコーダからパルス信号が発生するように構成するとともに、当該パルス信号に基づきメイン基板のＣＰＵが設定キーの回転量及び／又は回転方向を判定できるようにした。上記のような構成により、設定キーを用いた通常の設定変更の場合、設定キースイッチのオンオフ信号とロータリーエンコーダによる回転情報を検出するので、通常の設定変更と判断することができる。これに対し、針金などを使用した不正行為の場合、設定キースイッチの信号のみを検出し、ロータリーエンコーダから回転情報が送られてこないので、不正行為と判断しエラーを報知する。
【００４１】
ロータリーエンコーダの出力信号はパルス信号であり、針金等を用いて不正に発生させることは困難であるので、不正行為を効果的に防止することができる。
【００４２】
発明の実施の形態２．
発明の実施の形態１では回転動作検出器としてロータリーエンコーダを用いたが、これ以外にも例えばポテンショメータを使用することができる。ポテンショメータとは、回転位置（角度）の変位を抵抗変化のアナログ量で出力するデバイスである。
【００４３】
図８（ａ）は発明の実施の形態２に係る回転動作検出器であるポテンショメータ２０５９ａを示す。ポテンショメータ２０５９ａの回転軸は、発明の実施の形態１の場合と同様に設定キースイッチ２０５４のシリンダーに連結されているので、設定キースイッチ２０５４を回転させるとポテンショメータ２０５９ａの回転位置が変化する。ポテンショメータには直流電圧が加えられているので抵抗変化は電圧変化として出力される。この電圧は、コンパレータ２０５９ｂで予め設定された閾値と比較される。コンパレータ２０５９ｂは、ポテンショメータ２０５９ａの回転量が閾値より大きければ信号を出力する。コンパレータ２０５９ｂを例えばメイン基板２００に設けることにより、ポテンショメータ２０５９ａのアナログ出力をデジタル値に変換することができる。
【００４４】
図８（ｂ）は発明の実施の形態２の処理フローチャートを示す。同図は主要部分のみを示す。Ｓ３ｂにおいて、設定キースイッチ２０５４がオンのとき、ポテンショメータ２０５９ａが閾値以上の電圧を出力しているかどうか調べ、閾値以上の電圧を出力しているとき（ＹＥＳ）、正しい設定変更要求と判定する（Ｓ４）。ポテンショメータ２０５９ａが閾値以上の電圧を出力していないとき（ＮＯ）、不正行為と判定する（Ｓ１１）。制御部のＣＰＵでポテンショメータの電圧を直接調べてもよいが、図８（ａ）のコンパレータ２０５９ｂの出力に基づき判定するようにすれば、より簡単である。
【００４５】
Ｓ３ｂの処理について図９を参照して詳しく説明する。
図９（ａ）は設定キースイッチ２０５４を操作したときの信号のタイミングチャートである。設定キー回転開始（符合Ａの時刻）から符号Ｂの時間経過後にオンになっている（符号Ｃの時刻）。符号Ｂの時間は設定キースイッチ２０５４を鍵で右に９０度回転させるための時間である。設定キースイッチ２０５４のキーシリンダーはポテンショメータ２０５９ａの回転軸に連結されているから、その回転に伴いポテンショメータ２０５９ａのアナログ電圧が変化する。このアナログ電圧が閾値Ｖｔｈを超えるとコンパレータ２０５９ｂの出力がオンになる。閾値ＶｔｈはＡとＣの間でコンパレータの出力がオンになるように選ばれている。コンパレータ２０５９ｂのオン出力は設定キースイッチ２０５４が実際に回転されたことを意味する。制御部のＣＰＵは、設定キースイッチ２０５４がオンになったときにコンパレータ２０５９ｂの出力がオンであるという情報に基づき、設定キースイッチ２０５４が正しく操作されたと判定する。
【００４６】
図９（ｂ）は不正行為により設定キースイッチ２０５４の出力が短絡された場合を示す。符号Ｄの時刻で短絡されている。この場合、設定キースイッチ２０５４のキーシリンダーが回転しないため、ポテンショメータ２０５９ａの出力は変化しないし、コンパレータ２０５９ｂの出力はオンにならない。したがって、制御部のＣＰＵは不正行為がなされたと判定する。
【００４７】
発明の実施の形態２のポテンショメータの出力信号はアナログ信号であり、針金等を用いて不正に発生させることは困難であるので、不正行為を効果的に防止することができる。
【００４８】
発明の実施の形態３．
回転動作検出器として可変コンデンサを使用することもできる。可変コンデンサの回転軸を設定キースイッチ２０５４の回転軸と連結し、可変コンデンサを含む発振回路の発振周波数を監視することにより設定キースイッチ２０５４が実際に回転されたかどうか判定することができる。
【００４９】
図１０（ａ）は発明の実施の形態３に係る回転動作検出器である可変コンデンサ２０６０ａを示す。可変コンデンサ２０６０ａの回転軸は設定キースイッチ２０５４のシリンダーに連結されているので、設定キースイッチ２０５４を回転させると可変コンデンサ２０６０ａの回転位置が変化する。これに伴い発振回路２０６０ｂの発振周波数が変化する。
【００５０】
図１０（ｂ）は発明の実施の形態３の処理フローチャートを示す。同図は主要部分のみを示す。Ｓ３ｃにおいて、設定キースイッチ２０５４がオンのとき、発振回路２０６０ｂの発振周波数が閾値以下であるかどうか調べ、閾値以下であるとき（ＹＥＳ）、正しい設定変更要求と判定する（Ｓ４）。発振周波数が閾値以上であるとき（ＮＯ）、不正行為と判定する（Ｓ１１）。なお、閾値以下で不正行為、閾値以上で正しい設定変更要求と判断するようにしてもよい。
【００５１】
Ｓ３ｃの処理について図１１を参照して詳しく説明する。
図１１（ａ）は設定キースイッチ２０５４を操作したときの信号のタイミングチャートである。設定キー回転開始（符合Ａの時刻）から符号Ｂの時間経過後にオンになっている（符号Ｃの時刻）。符号Ｂの時間は設定キースイッチ２０５４を鍵で右に９０度回転させるための時間である。設定キースイッチ２０５４のキーシリンダーは可変コンデンサ２０６０ａの回転軸に連結されているから、その回転に伴い可変コンデンサ２０６０ａの静電容量が変化し、これに伴い発振回路の発振周波数が変化する。この発振周波数が閾値ｆｔｈよりも下がったとき設定キースイッチ２０５４が実際に回転されたと判定することができる。
【００５２】
図１１（ｂ）は不正行為により設定キースイッチ２０５４の出力が短絡された場合を示す。符号Ｄの時刻で短絡されている。この場合、設定キースイッチ２０５４のキーシリンダーが回転しないため、可変コンデンサ２０６０ａの出力は変化せず、発振周波数も変化しない。したがって、制御部のＣＰＵは不正行為がなされたと判定する。
【００５３】
発明の実施の形態３の可変コンデンサ及び発振回路の出力信号はアナログ信号であり、針金等を用いて不正に発生させることは困難であるので、不正行為を効果的に防止することができる。なお、可変コンデンサに代えて、可変インダクタを用いることもできる。
【００５４】
発明の実施の形態４．
設定キースイッチ２０５４のシリンダーの回転と連動してオンオフする回転検出スイッチを設けるようにしてもよい。本発明の実施の形態４では回転検出スイッチが回転動作検出器として機能する。例えば、図１２に示すように、設定キースイッチ２０５４の回転軸にカム状の作用部２０６１ａを設け、設定キースイッチ２０５４が回されたときに作用部２０６１ａの突出部が回転検出スイッチ２０６１ｂから離れ、設定キースイッチ２０５４がオンになったとき回転検出スイッチ２０６１ｂがオフになるように構成する。回転検出スイッチ２０６１ｂは一種の押しボタンスイッチであり、そのボタン部分が押し込まれたときにオンになり、ボタン部分が飛び出した状態でオフになる。図１２に示すように、設定スイッチ２０５４の出力論理と回転検出スイッチ２０６１ｂの出力論理が互いに反対（一方がオンのとき他方がオフ）であることが好ましい。
【００５５】
図１３（ａ）は発明の実施の形態４に係る回転動作検出器２０６１の概念を示す。回転検出スイッチ２０６１ｂは設定キースイッチ２０５４に連動してオンオフする。
【００５６】
図１３（ｂ）は発明の実施の形態４の処理フローチャートを示す。同図は主要部分のみを示す。Ｓ３ｄにおいて、設定キースイッチ２０５４がオンのとき、回転検出スイッチ２０６１ｂがオフであるかどうか調べ、オフであるとき（ＹＥＳ）、正しい設定変更要求と判定する（Ｓ４）。オンであるとき（ＮＯ）、不正行為と判定する（Ｓ１１）。
【００５７】
Ｓ３ｄの処理について図１４を参照して詳しく説明する。
図１４（ａ）は設定キースイッチ２０５４を操作したときの信号のタイミングチャートである。設定キー回転開始（符合Ａの時刻）から符号Ｂの時間経過後にオン（ＨレベルからＬレベル）になっている（符号Ｃの時刻）。符号Ｂの時間内に回転検出スイッチ２０６１ｂは逆にオフ（ＬレベルからＨレベル）になる。このことで設定キースイッチ２０５４が実際に回転されたと判定することができる。
【００５８】
図１４（ｂ）は不正行為により設定キースイッチ２０５４の出力が短絡された場合を示す。符号Ｄの時刻で短絡されている。この場合、設定キースイッチ２０５４のキーシリンダーが回転しないため回転検出スイッチ２０６１ｂはオン（Ｌレベル）のままである。したがって、制御部のＣＰＵは不正行為がなされたと判定する。
【００５９】
発明の実施の形態４の回転検出スイッチの出力信号はオンオフ信号であり、針金等を用いて不正に発生させることも可能であるが、設定スイッチの出力論理と回転検出スイッチの出力論理を異ならせているので、同時に操作するには困難である。したがって、本発明の実施の形態４でも不正行為を効果的に防止することができる。
【００６０】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００６１】
【図１】前扉を閉めた状態を示すスロットマシンの正面図である。
【図２】前扉を１８０度開いた状態を示すスロットマシンの正面図である。
【図３】スロットマシンの電源部のパネルの詳細図である。
【図４】発明の実施の形態１に係る遊技機のブロック図である。
【図５】発明の実施の形態１に係るロータリーエンコーダを設定キースイッチと連動させた状態を示す斜視図である。
【図６】発明の実施の形態１に係る設定変更処理フローチャートである。
【図７】発明の実施の形態１の動作説明図である。
【図８】発明の実施の形態２のブロック図及びフローチャートである。
【図９】発明の実施の形態２の動作説明図である。
【図１０】発明の実施の形態３のブロック図及びフローチャートである。
【図１１】発明の実施の形態３の動作説明図である。
【図１２】発明の実施の形態４の回転検出スイッチを設定キースイッチと連動させた状態を示す斜視図である。
【図１３】発明の実施の形態４のブロック図及びフローチャートである。
【図１４】発明の実施の形態４の動作説明図である。
【符号の説明】
【００６２】
１    メダルセレクタ
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
２００    メイン基板
２０１    サブ基板
２０２    操作部
２０３    リールユニット
２０４    演出表示部
２０５    電源部
２１０    判定用データ記憶部
２０５１  電源スイッチ
２０５２  電源部パイロットランプ
２０５３  打ち止め有無スイッチ
２０５４  設定キースイッチ
２０５５  リセットスイッチ
２０５８  設定変更用回転式スイッチ
２０５６  ＡＣ１００Ｖパイロットランプ
２０５７  ＡＣ電源出力及び電源ケーブル
２０５８  ロータリーエンコーダ
２０５９ａ  ポテンショメータ
２０５９ｂ  コンパレータ
２０６０ａ  可変コンデンサ
２０６０ｂ  発振回路
２０６１ａ  回転検出スイッチオンオフ用の作用部
２０６１ｂ  回転検出スイッチ
【図１】
2005237459.tif 000003
【図２】
2005237459.tif 000004
【図３】
2005237459.tif 000005
【図４】
2005237459.tif 000006
【図５】
2005237459.tif 000007
【図６】
2005237459.tif 000008
【図７】
2005237459.tif 000009
【図８】
2005237459.tif 000010
【図９】
2005237459.tif 000011
【図１０】
2005237459.tif 000012
【図１１】
2005237459.tif 000013
【図１２】
2005237459.tif 000014
【図１３】
2005237459.tif 000015
【図１４】
2005237459.tif 000016